(57)【要約】  【課題】  ナンバーディスプレイ設定がオンに設定されている場合において、警察や消防などからのコールバックのように連続的にオンが継続される呼出信号の受信を確実に検出できる通信端末装置を提供すること。  【解決手段】  通信端末装置であるファクシミリ装置が、ナンバーディスプレイ設定がオンに設定されている場合において、連続的にオンが継続される呼出信号を受信すると、受信手段により受信された呼出信号の受信期間が、予め規定された規定受信期間に対して比較される。そして、その規定受信期間と同等又はそれを超えたことが確認された場合に、それをトリガとして呼出音の鳴動が開始される。よって、ナンバーディスプレイ設定がオンに設定されている場合であっても、連続的にオンが継続される呼出信号の受信を確実に検出できる。  【選択図】    図８
2006191504.tif 000002
【特許請求の範囲】
【請求項１】
交換機から連続的又は間欠的に送信される呼出信号と該交換機から送信される相手側装置番号情報とを受信可能な受信手段と、その受信手段により受信された前記呼出信号に基づいて呼出音を鳴動する呼出音鳴動手段とを備えた通信端末装置において、
前記相手側装置番号情報を前記受信手段によって受信するか否かの設定を記憶する番号情報受信許可設定記憶手段と、
前記呼出信号が前記受信手段により受信されたことを検出する呼出信号検出手段と、
前記番号情報受信許可設定記憶手段に前記相手側装置番号情報の受信を許可する設定が記憶されている場合に、前記呼出信号検出手段により前記呼出信号の受信が検出されると、その呼出信号の受信期間を取得する受信期間取得手段と、
前記受信期間取得手段により取得された受信期間と、前記呼出信号が前記交換機から連続的に送信されたものであることを判別するために予め規定された規定受信期間とを比較する比較手段と、
その比較手段による比較によって、前記受信期間取得手段により取得された受信期間が前記規定受信期間と同等又はそれを超えたことが確認された場合に、前記受信手段により受信された呼出信号が前記交換機から連続的に送信された呼出信号であると認定する認定手段と、
前記受信手段により受信された呼出信号が前記交換機から連続的に送信された呼出信号であると前記認定手段により認定されると、前記呼出音鳴動手段による前記呼出音の鳴動を開始する呼出音鳴動開始手段とを備えていることを特徴とする通信端末装置。
【請求項２】
前記規定受信期間の値又は前記規定受信期間を算出可能な値を複数記憶する規定受信期間記憶手段と、
その規定受信期間記憶手段に記憶されている規定受信期間の値又は前記規定受信期間を算出可能な値の中から１の値を選択する選択手段とを備えていることを特徴とする請求項１記載の通信端末装置。
【請求項３】
交換機から連続的又は間欠的に送信される呼出信号と該交換機から送信される相手側装置番号情報とを受信可能な受信手段と、その受信手段により受信された前記呼出信号に基づいて呼出音を鳴動する呼出音鳴動手段とを備えた通信端末装置において、
前記相手側装置番号情報を前記受信手段によって受信するか否かの設定を記憶する番号情報受信許可設定記憶手段と、
前記呼出信号が前記受信手段により受信されたことを検出する呼出信号検出手段と、
前記番号情報受信許可設定記憶手段に前記相手側装置番号情報の受信を許可する設定が記憶されている場合に、前記呼出信号検出手段により前記呼出信号の受信が検出されると、その呼出信号の受信期間を取得する受信期間取得手段と、
前記呼出信号検出手段により検出された呼出信号が前記交換機から間欠的に送信される呼出信号である場合に、前記呼出信号の１つに対する受信期間を基準受信期間として取得する基準受信期間取得手段と、
前記受信期間取得手段により取得された受信期間と、前記基準受信期間取得手段により取得された基準受信期間に所定時間を加算した値とを比較する比較手段と、
その比較手段による比較によって、前記受信期間取得手段により取得された受信期間が、前記基準受信期間取得手段により取得された基準受信期間に所定時間を加算した値と同等又はそれを超えたことが確認された場合に、前記受信手段により受信された呼出信号が前記交換機から連続的に送信された呼出信号であると認定する認定手段と、
その認定手段により前記受信手段により受信された呼出信号が前記交換機から連続的に送信された呼出信号であると認定されると、前記呼出音鳴動手段による前記呼出音の鳴動を開始する呼出音鳴動開始手段とを備えていることを特徴とする通信端末装置。
【請求項４】
前記呼出音鳴動手段により鳴動可能な複数の呼出音を記憶する第１呼出音記憶手段と、
その第１呼出音記憶手段に記憶される複数の呼出音のうちの１つを、前記呼出音鳴動手段により鳴動させる呼出音として記憶する第２呼出音記憶手段と、
前記第１呼出音記憶手段に記憶される複数の呼出音のうちの１つを、前記呼出音鳴動手段により鳴動させる呼出音における特定呼出音として記憶する特定呼出音記憶手段と、
前記認定手段により前記受信手段により受信された呼出信号が前記交換機から連続的に送信された呼出信号であると認定された場合に、前記第２呼出音記憶手段に記憶される呼出音が前記特定呼出音記憶手段に記憶される特定呼出音と異なるものであれば、前記呼出音鳴動手段により鳴動させる呼出音を前記特定呼出音に変更する呼出音変更手段とを備えていることを特徴とする請求項１から３のいずれかに記載の通信端末装置。
【請求項５】
前記認定手段により前記受信手段により受信された呼出信号が前記交換機から連続的に送信された呼出信号であると認定された場合に、前記呼出音鳴動手段による前記呼出音の鳴動を許可するか否かの設定を記憶する鳴動許可記憶手段と、
前記比較手段による比較の結果として前記呼出音鳴動手段による前記呼出音の鳴動を前記呼出音鳴動開始手段により開始する場合に、前記鳴動許可記憶手段により記憶される設定が前記呼出音の鳴動を不許可とするものであれば、前記呼出音鳴動手段による呼出音の鳴動を許可するように変更する鳴動許可変更手段とを備えていることを特徴とする請求項１から４のいずれかに記載の通信端末装置。
【請求項６】
前記認定手段により前記受信手段により受信された呼出信号が前記交換機から連続的に送信された呼出信号であると認定された場合に、前記呼出音鳴動手段により鳴動させる呼出音の音量を最大にする音量変更手段を備えていることを特徴とする請求項１から５のいずれかに記載の通信端末装置。
【発明の詳細な説明】
【技術分野】
【０００１】
本発明は、電話装置などの通信端末装置に関し、特に、ナンバーディスプレイ設定がオンに設定されている場合において、連続的にオンが継続される呼出信号の受信を確実に検出し、その結果として、呼出音が確実に鳴動される通信端末装置に関する。
【背景技術】
【０００２】
事故や急病などを緊急通報するために１１０（警察）や１１９（消防）等の電話番号（相手側装置番号）へ発信した場合には、その発信先の相手側装置番号からコールバックされて、詳しい状況の確認を取られることがある。そのため、そのようなコールバックをユーザが聞き逃すことなく明確に認識させることが重要となる。
【０００３】
例えば、特開２００２−２０４４７２号公報（特許文献１）には、着信があった場合に、受信した発番号（相手側装置番号）が、第１の記憶手段に格納された緊急相手先からの着信であると判断されるとその旨を通知する携帯通信端末が記載されている。この特許文献１に記載された携帯通信端末によれば、現在の着呼設定が音を発しないマナーモードに設定されていたとしても、緊急相手先からの着信があった場合には、緊急相手先用の音声を発する着呼設定に基づいて音声が発生されるように構成されている。
【０００４】
一方で、一般の加入電話において、発信側の相手側装置番号を着信側の通信端末装置（例えば、電話装置やファクシミリ装置など）に対して通知する、所謂「ナンバーディスプレイサービス」と呼ばれるサービスが行われている。このナンバーディスプレイサービスに加入した通信端末装置に対し、交換機はＩＲ信号（以下、「呼出信号」と称する）の送信前にＣＡＲ信号（情報受信端末起動信号）とモデム信号（相手側装置番号情報）を送信する。そして、ＣＡＲ信号を受信した通信端末装置は電話回線を一次閉結してモデム信号を受信し、このモデム信号に基づいて液晶ディスプレイ（ＬＣＤ）などの表示用ディスプレイに相手側装置番号を表示する。モデム信号の受信終了後、電話回線を開放し、引き続き、呼出信号を受信する。
【０００５】
そのため、通常では、市販されている一般の加入電話用の通信端末装置には、このナンバーディスプレイサービスに対応可能なナンバーディスプレイ機能が備えられている。そのようなナンバーディスプレイ機能を有する通信端末装置では、一般的に、ナンバーディスプレイサービスによるモデム信号の受信設定（以下、「ナンバーディスプレイ設定」と
称する）をオンとした場合に、ＣＡＲ信号やモデム信号の受信によって通信端末装置が呼出音が鳴動されないように、各種信号受信の開始から所定期間は呼出音の鳴動を禁止する鳴動禁止期間が設けられている。
【０００６】
ユーザが、ナンバディスプレイサービスに加入し、交換機からＣＡＲ信号が送信された場合には、モデム信号の受信終了後、電話回線が開放されると、鳴動禁止期間が明け、続いて呼出信号を受信すると、呼出信号に基づいて呼出音が鳴動される。
【０００７】
一方で、ユーザが、ナンバーディスプレイサービスに未加入であれば、通信端末装置はＣＡＲ信号やモデム信号を受信することなく呼出信号を受信することになる。この場合には、通信端末装置におけるナンバーディスプレイ設定がオンに設定されていれば、各種信号受信の開始から所定時間（例えば、７００ｍｓ）の経過後に鳴動禁止期間が明けるように構成されている。よって、その鳴動禁止期間に呼出信号が受信されても呼出音は鳴動されず、鳴動禁止期間が明けてから呼出信号の受信に応じた呼出音の鳴動が開始される。
【０００８】
しかし、鳴動禁止期間の終了時点と呼出信号の受信とのタイミングによっては、最初の呼出音の鳴動時に中途半端な鳴動がなされて聞き苦しいという問題があった。その問題を克服するための１つの方法として、ナンバーディスプレイ設定がオンである場合に、鳴動禁止期間の終了時点で受信されている呼出信号は無視し、次に受信される呼出信号の受信開始をトリガとして呼出音の鳴動を開始させる方法がある。この方法は、交換機から間欠的に送信される呼出信号に対しては有効である。
【特許文献１】特開２００２−２０４４７２号公報
【発明の開示】
【発明が解決しようとする課題】
【０００９】
ここで、警察や消防などからのコールバックのような緊急呼出を受けた場合もまた、上述したナンバーディスプレイに未加入の場合と同様に、呼出信号の受信開始から所定期間を持って鳴動禁止期間が明ける。しかしながら、緊急呼出時の呼出信号は連続的にオンが継続される信号（連続信号）であるために、上述の鳴動開始方法における鳴動開始のトリガである「次に受信される呼出信号」を認識できず、その結果として呼出音を鳴動しないという問題点があった。
【００１０】
本発明は、上述した問題点を解決するためになされたものであり、ナンバーディスプレイ設定がオンに設定されている場合において、警察や消防などからのコールバックのように連続的にオンが継続される呼出信号の受信を確実に検出し、その結果として、呼出音を確実に鳴動する電話装置やファクシミリ装置などの通信端末装置を提供することを目的とする。
【課題を解決するための手段】
【００１１】
この目的を達成するために、請求項１記載の通信端末装置は、交換機から連続的又は間欠的に送信される呼出信号と該交換機から送信される相手側装置番号情報とを受信可能な受信手段と、その受信手段により受信された前記呼出信号に基づいて呼出音を鳴動する呼出音鳴動手段とを備えたものであって、更に、前記相手側装置番号情報を前記受信手段によって受信するか否かの設定を記憶する番号情報受信許可設定記憶手段と、前記呼出信号が前記受信手段により受信されたことを検出する呼出信号検出手段と、前記番号情報受信許可設定記憶手段に前記相手側装置番号情報の受信を許可する設定が記憶されている場合に、前記呼出信号検出手段により前記呼出信号の受信が検出されると、その呼出信号の受信期間を取得する受信期間取得手段と、前記受信期間取得手段により取得された受信期間と、前記呼出信号が前記交換機から連続的に送信されたものであることを判別するために予め規定された規定受信期間とを比較する比較手段と、その比較手段による比較によって、前記受信期間取得手段により取得された受信期間が前記規定受信期間と同等又はそれを超えたことが確認された場合に、前記受信手段により受信された呼出信号が前記交換機から連続的に送信された呼出信号であると認定する認定手段と、前記受信手段により受信された呼出信号が前記交換機から連続的に送信された呼出信号であると前記認定手段により認定されると、前記呼出音鳴動手段による前記呼出音の鳴動を開始する呼出音鳴動開始手段とを備えている。
【００１２】
請求項２記載の通信端末装置は、請求項１記載の通信端末装置において、前記規定受信期間の値又は前記規定受信期間を算出可能な値を複数記憶する規定受信期間記憶手段と、その規定受信期間記憶手段に記憶されている規定受信期間の値又は前記規定受信期間を算出可能な値の中から１の値を選択する選択手段とを備えている。
【００１３】
請求項３記載の通信端末装置は、交換機から連続的又は間欠的に送信される呼出信号と該交換機から送信される相手側装置番号情報とを受信可能な受信手段と、その受信手段により受信された前記呼出信号に基づいて呼出音を鳴動する呼出音鳴動手段とを備えたものであって、更に、前記相手側装置番号情報を前記受信手段によって受信するか否かの設定を記憶する番号情報受信許可設定記憶手段と、前記呼出信号が前記受信手段により受信されたことを検出する呼出信号検出手段と、前記番号情報受信許可設定記憶手段に前記相手側装置番号情報の受信を許可する設定が記憶されている場合に、前記呼出信号検出手段により前記呼出信号の受信が検出されると、その呼出信号の受信期間を取得する受信期間取得手段と、前記呼出信号検出手段により検出された呼出信号が前記交換機から間欠的に送信される呼出信号である場合に、前記呼出信号の１つに対する受信期間を基準受信期間として取得する基準受信期間取得手段と、前記受信期間取得手段により取得された受信期間と、前記基準受信期間取得手段により取得された基準受信期間に所定時間を加算した値とを比較する比較手段と、その比較手段による比較によって、前記受信期間取得手段により取得された受信期間が、前記基準受信期間取得手段により取得された基準受信期間に所定時間を加算した値と同等又はそれを超えたことが確認された場合に、前記受信手段により受信された呼出信号が前記交換機から連続的に送信された呼出信号であると認定する認定手段と、その認定手段により前記受信手段により受信された呼出信号が前記交換機から連続的に送信された呼出信号であると認定されると、前記呼出音鳴動手段による前記呼出音の鳴動を開始する呼出音鳴動開始手段とを備えている。
【００１４】
請求項４記載の通信端末装置は、請求項１から３のいずれかに記載の通信端末装置において、前記呼出音鳴動手段により鳴動可能な複数の呼出音を記憶する第１呼出音記憶手段と、その第１呼出音記憶手段に記憶される複数の呼出音のうちの１つを、前記呼出音鳴動手段により鳴動させる呼出音として記憶する第２呼出音記憶手段と、前記第１呼出音記憶手段に記憶される複数の呼出音のうちの１つを、前記呼出音鳴動手段により鳴動させる呼出音における特定呼出音として記憶する特定呼出音記憶手段と、前記認定手段により前記受信手段により受信された呼出信号が前記交換機から連続的に送信された呼出信号であると認定された場合に、前記第２呼出音記憶手段に記憶される呼出音が前記特定呼出音記憶手段に記憶される特定呼出音と異なるものであれば、前記呼出音鳴動手段により鳴動させる呼出音を前記特定呼出音に変更する呼出音変更手段とを備えている。
【００１５】
請求項５記載の通信端末装置は、請求項１から４のいずれかに記載の通信端末装置において、前記認定手段により前記受信手段により受信された呼出信号が前記交換機から連続的に送信された呼出信号であると認定された場合に、前記呼出音鳴動手段による前記呼出音の鳴動を許可するか否かの設定を記憶する鳴動許可記憶手段と、前記比較手段による比較の結果として前記呼出音鳴動手段による前記呼出音の鳴動を前記呼出音鳴動開始手段により開始する場合に、前記鳴動許可記憶手段により記憶される設定が前記呼出音の鳴動を不許可とするものであれば、前記呼出音鳴動手段による呼出音の鳴動を許可するように変更する鳴動許可変更手段とを備えている。
【００１６】
請求項６記載の通信端末装置は、請求項１から５のいずれかに記載の通信端末装置において、前記認定手段により前記受信手段により受信された呼出信号が前記交換機から連続的に送信された呼出信号であると認定された場合に、前記呼出音鳴動手段により鳴動させる呼出音の音量を最大にする音量変更手段を備えている。
【発明の効果】
【００１７】
請求項１記載の通信端末装置によれば、受信手段により交換機から連続的又は間欠的に送信される呼出信号が受信された場合に、その受信された呼出信号に基づいて、呼出音が呼出音鳴動手段により鳴動される通信端末装置において、交換機から送信される相手側装置番号情報を受信手段により受信するか否かの設定が、番号情報受信許可設定記憶手段に記憶されている場合には、交換機から連続的又は間欠的に送信される呼出信号が受信手段によって受信されたことが呼出信号検出手段により検出されると、その呼出信号の受信期間が受信期間取得手段により取得される。
【００１８】
そして、受信期間取得手段により呼出信号の受信期間が取得されると、その受信期間が、比較手段によって、呼出信号が交換機から連続的に送信されたものであることを判別するために予め規定された規定受信期間に対して比較される。次いで、その比較手段による比較によって、受信期間取得手段により取得された受信期間が規定受信期間と同等又はそれを超えたことが確認された場合に、認定手段により、受信手段により受信された呼出信号が交換機から連続的に送信された呼出信号であると認定され、呼出音鳴動手段による呼出音の鳴動が呼出音鳴動開始手段により開始される。
【００１９】
従って、受信手段により受信された呼出信号の受信期間が、予め規定された規定受信期間に対して比較されて、その規定受信期間と同等又はそれを超えたことが確認された場合には、それをトリガとして呼出音の鳴動が開始される。
【００２０】
よって、交換機から送信される相手側装置番号情報を受信手段により受信するか否かの設定が番号情報受信許可設定手段に記憶されている場合、即ち、ナンバーディスプレイ設定がオンに設定されている場合であっても、警察や消防などからのコールバックのように連続的にオンが継続される呼出信号の受信を確実に検出できるので、呼出音を確実に鳴動させることができ、その結果として、警察や消防などからのコールバックを初めとする緊急呼出をユーザに確実に認識させることができるという効果がある。
【００２１】
請求項２記載の通信端末装置によれば、請求項１記載の通信端末装置の奏する効果に加えて、規定受信期間の値又は前記規定受信期間を算出可能な値が規定受信期間記憶手段に複数記憶されており、その規定受信期間記憶手段に記憶されている規定受信期間の値又は前記規定受信期間を算出可能な値の中から、１の値が選択手段により選択される。
【００２２】
よって、交換機から送信される各種信号の規格が異なる各国毎に適した規定受信期間又は各国毎に適した規定受信期間を算出可能な値を規定受信期間記憶手段に記憶させておくことにより、種々の国において、ナンバーディスプレイ設定がオンに設定されている場合であっても、連続的にオンが継続される呼出信号の受信を確実に検出でき、その結果、呼出音を確実に鳴動できるという効果がある。
【００２３】
なお、「前記規定受信期間を算出可能な値」とは、その値に基づいて規定受信期間を算出可能である値を意味する。例えば、規定受信期間が、連続的にオンが継続される呼出信号と間欠的にオンとオフが繰り返される呼出信号とを区別できる期間であるように、間欠的にオンとオフが繰り返される呼出信号における１のオン期間に、所定時間（例えば、５００ｍｓ）を猶予時間として加算した期間であるとした場合に、「間欠的にオンとオフが繰り返される呼出信号における１のオン期間」が「前記規定受信期間を算出可能な値」に相当することになる。
【００２４】
請求項３記載の通信端末装置によれば、受信手段により交換機から連続的又は間欠的に送信される呼出信号が受信された場合に、その受信された呼出信号に基づいて、呼出音が呼出音鳴動手段により鳴動される通信端末装置において、交換機から送信される相手側装置番号情報を受信手段により受信するか否かの設定が番号情報受信許可設定手段に記憶されている場合には、交換機から連続的又は間欠的に送信される呼出信号が受信手段によって受信されたことが呼出信号検出手段により検出されると、その呼出信号の受信期間が受信期間取得手段により取得される。
【００２５】
一方で、呼出信号検出手段により検出された呼出信号が交換機から間欠的に送信される呼出信号である場合に、その呼出信号の１つに対する受信期間が、基準受信期間取得手段により基準受信期間として取得される。
【００２６】
そして、受信期間取得手段により取得された呼出信号の受信期間が、比較手段によって、基準受信期間取得手段により取得された基準受信期間に所定時間を加算した値に対して比較される。その比較によって、受信期間取得手段により取得された受信期間が、基準受信期間取得手段により取得された基準受信期間に所定時間を加算した値と同等又はそれを超えたことが確認されると、認定手段により、受信手段により受信された呼出信号が交換機から連続的に送信された呼出信号であると認定され、呼出音鳴動手段による呼出音の鳴動が呼出音鳴動開始手段により開始される。
【００２７】
従って、受信手段により受信された呼出信号の受信期間が、交換機から間欠的に送信される１の呼出信号の受信期間である基準受信期間に所定時間を加算した値に対して比較されて、その基準受信期間に所定時間を加算した値と同等又はそれを超えたことが確認された場合には、それをトリガとして呼出音の鳴動が開始される。
【００２８】
よって、交換機から送信される相手側装置番号情報を受信手段により受信するか否かの設定が番号情報受信許可設定手段に記憶されている場合、即ち、ナンバーディスプレイ設定がオンに設定されている場合であっても、警察や消防などからのコールバックのように連続的にオンが継続される呼出信号の受信を確実に検出できるので、呼出音を確実に鳴動させることができ、その結果として、警察や消防などからのコールバックを初めとする緊急呼出をユーザに確実に認識させることができるという効果がある。
【００２９】
また、基準受信期間は、交換機から間欠的に送信される呼出信号に基づいて取得されるので、各国の呼出信号のように、その規格が国毎に異なる場合であっても、受信した呼出信号の受信期間との比較の際に、交換機から連続的に送信された呼出信号か否かを確認するのに最適な値を用いることができる。その結果、種々の国において、ナンバーディスプレイ設定がオンに設定されている場合であっても、連続的にオンが継続される呼出信号の受信を確実に検出でき、呼出音を確実に鳴動できるという効果がある。
【００３０】
さらに、比較手段による比較基準とされる値が、基準受信期間取得手段により取得された基準受信期間、即ち、間欠的に送信される呼出信号の中の１つの呼出信号の受信期間に所定時間（猶予時間）を加算した値であるので、連続的にオンが継続される呼出信号を、間欠的にオンとオフが繰り返される呼出信号に対して明確に区別することができる。従って、ナンバーディスプレイ設定がオンに設定されている場合であっても、連続的にオンが継続される呼出信号の受信を確実に検出でき、呼出音を確実に鳴動できるという効果がある。
【００３１】
請求項４記載の通信端末装置によれば、請求項１から３のいずれかに記載の通信端末装置の奏する効果に加えて、第２呼出音記憶手段にには、第１呼出音記憶手段に記憶される複数の呼出音のうちの１つが、呼出音鳴動手段により鳴動される呼出音として記憶されており、一方で、特定呼出音記憶手段には、第１呼出音記憶手段に記憶される複数の呼出音のうちの１つが、呼出音鳴動手段により鳴動される呼出音における特定呼出音として記憶されている。そして、受信手段により受信された呼出信号が交換機から連続的に送信された呼出信号であると認定手段により認定された場合に、第２呼出音記憶手段に記憶される呼出音が、特定呼出音記憶手段に記憶される特定呼出音と異なるものであれば、呼出音鳴動手段により鳴動させる呼出音が、呼出音変更手段により、該特定呼出音に変更される。
【００３２】
即ち、呼出信号の着信時に鳴動する呼出音がユーザにより設定されている場合に、その設定された呼出音が特定呼出音でなければ、警察や消防などからのコールバックのように連続的にオンが継続される呼出信号を受信した場合に、ユーザによって設定された呼出音ではなく特定呼出音が鳴動する。
【００３３】
ユーザにより設定される呼出音はメロディによって構成される着信メロディであることが多く、このような着信メロディはユーザの耳には優しいが、逆に言えば、ユーザが着信を認識するという面では認識が不確実であるという問題があった。しかし、特定呼出音として、例えば、ベル音やサイレン音などのユーザが確実に認識し易い呼出音が特定呼出音記憶手段に記憶されていれば、警察や消防などからのコールバックのように、ユーザが確実に認識する必要のある緊急呼出の場合において、ユーザが確実に認識し易い呼出音が必ず鳴動することになる。その結果、警察や消防などからのコールバックを初めとする緊急呼出をユーザに確実に認識させることができるという効果がある。
【００３４】
請求項５記載の通信端末装置によれば、請求項１から４のいずれかに記載の通信端末装置の奏する効果に加えて、受信手段により受信された呼出信号が交換機から連続的に送信された呼出信号であると認定手段により認定された場合に、呼出音鳴動手段による呼出音の鳴動を許可するか否かの設定が鳴動許可記憶手段に記憶されている。ここで、比較手段による比較の結果として、呼出音鳴動手段による呼出音の鳴動を呼出音鳴動開始手段により開始する場合に、鳴動許可記憶手段により記憶される設定が呼出音の鳴動を不許可とするものであれば、鳴動許可変更手段によって、呼出音鳴動手段による呼出音の鳴動が許可されるように変更される。
【００３５】
即ち、着信時に呼出音が鳴動しないように設定されていた場合であっても、警察や消防などからのコールバックのように連続的にオンが継続される呼出信号を受信した際には、呼出信号に応じて着信音が鳴動する。
【００３６】
よって、警察や消防などからのコールバックのように、ユーザが確実に認識する必要のある緊急呼出の場合において、呼出音が必ず鳴動することになる。その結果、ユーザによる呼出音の鳴動又は無鳴動の設定にかかわらず、警察や消防などからのコールバックを初めとする緊急呼出をユーザに確実に認識させることができるという効果がある。
【００３７】
請求項６記載の通信端末装置によれば、請求項１から５のいずれかに記載の通信端末装置の奏する効果に加えて、受信手段により受信された呼出信号が交換機から連続的に送信された呼出信号であると認定手段により認定された場合に、音量変更手段により、呼出音鳴動手段により鳴動させる呼出音の音量が最大とされる。
【００３８】
よって、警察や消防などからのコールバックのように、ユーザが確実に認識する必要のある緊急呼出の場合において、呼出音が必ず最大音量で鳴動することになる。その結果、ユーザによる呼出音の音量設定にかかわらず、警察や消防などからのコールバックを初めとする緊急呼出をユーザに確実に認識させることができるという効果がある。
【発明を実施するための最良の形態】
【００３９】
以下、本発明の好ましい実施例について、添付図面を参照して説明する。まず、図１及び図２を参照して、本発明の通信端末装置であるファクシミリ装置１の電気的構成について説明する。図１は本発明の第１実施例におけるファクシミリ装置１の電気的構成を示すブロック図であり、図２は、このファクシミリ装置１における、半導体化ＤＡＡ３３を備える回線Ｉ／Ｆ部１５の電気的構成を示すブロック図である。
【００４０】
図１に示すように、ファクシミリ装置１には、ＣＰＵ１１と、ＲＯＭ１２と、ＲＡＭ１３と、ＥＥＰＲＯＭ２８と、画像メモリ１４と、回線Ｉ／Ｆ部１５と、モデム１６と、バッファ１７と、スキャナ１８と、符号化部１９と、復号化部２０と、プリンタ２１と、ナンバーディスプレイ設定のオン又はオフを切り替えるＮＤ設定ボタン２２ａ及び呼出信号の受信時においても呼出音が鳴動されないように設定する無鳴動ボタン２２ｂを備える操作パネル２２と、ＬＣＤ２３と、アンプ２４とが設けられており、これらはバスライン３０を介して互いに接続されている。
【００４１】
回線Ｉ／Ｆ部１５は回線制御を行うためのものであり、ファクシミリ装置１はこの回線Ｉ／Ｆ部１５を介して電話回線３１に接続されている。回線Ｉ／Ｆ部１５は、交換機２７から送信される呼出信号や、ＣＡＲ信号や、発信者識別情報（ＣａｌｌｅｒＩＤ）などを含むモデム信号（相手側装置番号情報）を受信すると共に、操作パネル２２上のキーの操作に応じた発信時のダイヤル信号を交換機２７へ送信する。
【００４２】
なお、回線Ｉ／Ｆ部１５は、図２を参照して後述する半導体化ＤＡＡ３３を備えると共に端子Ｔ１、Ｔ２（図２参照）を介して、外付け電話２６と接続されている。
【００４３】
ＣＰＵ１１は、回線Ｉ／Ｆ部１５を介して送受信される各種信号に従って、バスライン３０により接続された各部を制御し、ファクシミリ動作、即ち、データ通信を実行するものである。なお、ＣＰＵ１１は、タイマ（非図示）を内蔵しており、所定のタイミングからの経過時間を計時可能に構成されている。
【００４４】
ＲＯＭ１２は、このファクシミリ装置１で実行される制御プログラムなどを格納した書換不能なメモリであり、図３〜図７のフローチャートに示す各処理を実行するプログラムは、このＲＯＭ１２内に格納されている。
【００４５】
ＲＡＭ１３は、ファクシミリ装置１の各動作の実行時に各種のデータを一時的に記憶するためのメモリであり、ＮＤ設定フラグ１３ａと、鳴動不許可フラグ１３ｂと、初期化済みフラグ１３ｃと、初期検出フラグ１３ｄと、ＣＡＲ信号検出フラグ１３ｅと、呼出信号検出フラグ１３ｆと、鳴動許可フラグ１３ｇと、鳴動保留フラグ１３ｈと、保留時検出フラグ１３ｉと、鳴動要求フラグ１３ｊと、鳴動停止要求フラグ１３ｋと、緊急フラグ１３ｌと、鳴動中フラグ１３ｍと、開始時刻メモリ１３ｎとを備えている。
【００４６】
ＮＤ設定フラグ１３ａは、ファクシミリ装置１のナンバーディスプレイ設定がユーザによってオンに設定されたか否かを示すフラグである。ナンバーディスプレイ設定は、操作パネル２２のＮＤ設定ボタン２２ａがオンに設定されることによってオンに設定されるので、ＮＤ設定フラグ１３ａは、操作パネル２２のＮＤ設定ボタン２２ａがオンに設定されるとオンされる。一方で、ＮＤ設定フラグ１３ａは、ＮＤ設定ボタン２２ａがオフに設定されるとオフされる。
【００４７】
鳴動不許可フラグ１３ｂは、ファクシミリ装置１が呼出信号の受信によっても呼出音を鳴動しない設定にされているか否かを示すフラグである。ファクシミリ装置１は、操作パネル２２の無鳴動ボタン２２ｂをオンに設定することによって、呼出信号を受信しても呼出音が鳴動されないように設定される。従って、操作パネル２２の無鳴動ボタン２２ｂがオンに設定されると、鳴動不許可フラグ１３ｂがオンされる。一方で、鳴動不許可フラグ１３ｂは、無鳴動ボタン２２ｂがオフに設定されるとオフされる。
【００４８】
初期化済みフラグ１３ｃは、各種フラグ１３ｄ〜１３ｌが初期化されたか否かを示すフラグであり、電源投入後に各種フラグ１３ｄ〜１３ｌが初期化されるとオンされる。この初期化済みフラグ１３ｃは、電話回線３１が閉結されたか、又は、相手側装置が呼出を終了したかのいずれかが確認された場合にオフされる。
【００４９】
初期検出フラグ１３ｄは、ファクシミリ装置１における鳴動禁止期間が開始されたか否かを示すフラグである。この初期検出フラグ１３ｄは、待機状態にあるファクシミリ装置１のリング検出回路３９（図２参照）が、呼出信号やＣＡＲ信号などの各種信号を検出した場合にオンされ、鳴動禁止期間の終了に伴ってオフされる。
【００５０】
ＣＡＲ信号検出フラグ１３ｅは、ナンバーディスプレイ設定がオンに設定されている待機状態のファクシミリ装置１が、ＣＡＲ信号及びモデム信号の受信中であるか否かを示すフラグである。このＣＡＲ信号検出フラグ１３ｅは、ＣＡＲ信号の受信開始が検出されるとオンされ、モデム信号の受信後に電話回線３１が開放されるとオフされる。
【００５１】
呼出信号検出フラグ１３ｆは、鳴動禁止期間が明けた後のファクシミリ装置１が、交換機２７から電話回線３１を介して送信される呼出信号をリング検出回路３９（図２参照）により検出したか否かを示すフラグであり、呼出信号の検出中はオンを示し、呼出信号が検出されない間はオフを示す。
【００５２】
鳴動許可フラグ１３ｇは、鳴動禁止期間が明けたことを示すフラグである。この鳴動許可フラグ１３ｇは、鳴動禁止期間の終了に伴ってオンされ、相手側装置との通信のために電話回線３１が閉結されるとオフされる。
【００５３】
鳴動保留フラグ１３ｈは、ファクシミリ装置１が鳴動保留期間にあるか否かを示すフラグである。なお、「鳴動保留期間」とは、鳴動禁止期間が明けた後に中途半端な鳴動がされるのを回避するために一時的に呼出音の鳴動を保留（禁止）する期間である。この鳴動保留フラグ１３ｇは、鳴動禁止期間の終了に伴ってオンされ、鳴動保留期間が明けるか、連続的にオンが継続される呼出信号に応答して電話回線３１が閉結されるとオフされる。
【００５４】
保留時検出フラグ１３ｉは、鳴動保留期間にあるファクシミリ装置１のリング検出回路３９（図２参照）が、呼出信号を検出したか否かを示すフラグであり、鳴動保留期間において最初に呼出信号が確認された場合にオンされ、次に不検出期間が開始された場合、又は、連続的にオンが継続される呼出信号が検出されるとオフされる。
【００５５】
鳴動要求フラグ１３ｊは、鳴動保留期間の明けた後に受信した呼出信号に基づいて呼出音の鳴動を行うか否かを示すフラグである。この鳴動要求フラグ１３ｊは、（１）鳴動保留期間の明けた後に検出された呼出信号の受信期間が、予め規定されている第１所定時間（例えば、本実施例では９０ｍｓ）を超えたことが確認された場合、又は、（２）鳴動保留期間の明けた後に検出された呼出信号の受信期間が、予め規定されている第２所定時間（例えば、本実施例では１５００ｍｓ）を超えたことが確認された場合にオンされる。そして、呼出音の鳴動が開始された場合又は呼出音が鳴動中であることが確認された場合にオフされる。
【００５６】
鳴動停止要求フラグ１３ｋは、呼出音の鳴動を停止するか否かを示すフラグである。この鳴動停止要求フラグ１３ｋは、呼出信号の不検出期間が、予め規定されている第１所定時間（例えば、本実施例では９０ｍｓ）に渡って確認された場合にオンされる。そして、呼出音の鳴動が停止された場合又は呼出音の鳴動の停止中、あるいは、相手側装置との通信のために電話回線３１が閉結された場合にオフされる。
【００５７】
緊急フラグ１３ｌは、交換機２７から受信した呼出信号が、連続的にオンが継続される呼出信号であるか否かを示すフラグである。この緊急フラグ１３ｌは、鳴動保留期間の明けた後に検出された呼出信号の受信期間が、予め規定されている第２所定時間（例えば、本実施例では１５００ｍｓ）を超えたことが確認された場合にオンされる。そして、呼出信号の不検出期間が、予め規定されている第１所定時間（例えば、本実施例では９０ｍｓ）に渡って検出された場合か、相手側装置との通信のために電話回線３１が閉結された場合にオフされる。
【００５８】
鳴動中フラグ１３ｍは、ファクシミリ装置１が呼出音を鳴動中であるか否かを示すフラグであり、後述する鳴動開始処理（図７参照）により呼出音の鳴動が開始されるとオンされる。一方で、後述する呼出信号検出処理（図６参照）において、呼出信号の不検出期間が、予め規定されている第１所定時間（例えば、本実施例では９０ｍｓ）に渡って検出された場合、又は、相手側装置との通信のために電話回線３１が閉結された場合にオフされる。
【００５９】
開始時刻メモリ１３ｎは、（１）ファクシミリ装置１における鳴動禁止期間の開始時刻、（２）呼出信号の検出の開始時間、又は（３）呼出信号の不検出期間の開始時間のいずれかを記憶するメモリである。
【００６０】
ＥＥＰＲＯＭ２８は書換可能な不揮発性のメモリであり、呼出メロディテーブル２８ａと、呼出メロディ設定メモリ２８ｂと、ベル音メモリ２８ｃとを備えている。呼出メロディテーブル２８ａは、呼出音として使用可能なメロディ（以下、「呼出メロディ」と称する）を複数種類記憶できるテーブルである。
【００６１】
呼出メロディ設定メモリ２８ｂは、呼出メロディテーブル２８ａに記憶される複数種類の呼出メロディの中から、呼出音として設定された１つの呼出メロディを記憶するメモリである。なお、ユーザによる操作パネル２２の所定の操作によって呼出メロディテーブル２８ａに記憶される呼出メロディの中から選択された１つの呼出メロディが、呼出メロディ設定メモリ２８ｂに呼出音として記憶される。
【００６２】
ベル音メモリ２８ｃは、初期設定として呼出音に設定されているベル音を記憶するメモリである。よって、ユーザによって呼出メロディが設定されていない場合、即ち、呼出メロディ設定メモリ２８ｂに呼出メロディが呼出音として記憶されていない場合には、呼出信号が受信されると、このベル音メモリ２８ｃに記憶されているベル音が鳴動する。
【００６３】
また、このベル音メモリ２８ｃは、ファクシミリ装置１が、警察や消防などからのコールバックのように連続的にオンが継続される呼出信号の受信をした場合に、呼出メロディ設定メモリ２８ｂに記憶される呼出メロディに優先させて鳴動される特定呼出音を記憶するメモリでもある。即ち、ファクシミリ装置１が、連続的にオンが継続される呼出信号を受信した場合には、呼出メロディ設定メモリ２８ｂに記憶される呼出メロディに代えて、このベル音メモリ２８ｃに記憶されるベル音が鳴動する。
【００６４】
画像メモリ１４は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１４に記憶され、プリンタ２１によって記録紙に印刷された後に、この画像メモリ１４から消去される。また、スキャナ１８によって読み取られた画像データも、この画像メモリ１４に記憶される。
【００６５】
モデム１６は、画情報及び通信データを変調及び復調して伝送すると共に伝送制御用の各種手順信号を送受信するためのものである。バッファ１７は、相手側装置との間で送受信される符号化された画情報を含むデータを一時的に記憶するためのものである。
【００６６】
スキャナ１８は、原稿挿入口に挿入された原稿を画像データとして読み取るためのものであり、原稿搬送用モータを備えている。符号化部１９は、スキャナ１８により読み取られた画像データの符号化を行うものである。復号化部２０は、バッファ１７または画像メモリ１４に記憶された画像データを読み出して、これを復号化するものであり、復号化されたデータは、プリンタ２１により記録紙に印刷される。
【００６７】
プリンタ２１は、インクジェット方式のプリンタで構成され、記録紙を搬送する記録紙用搬送モータと、印字ヘッドを搭載したキャリッジを移動させるキャリッジモータと、記録紙へインクを吐出する印字ヘッドとを備えている。アンプ２４は、そのアンプ２４に接続されたスピーカ２５を鳴動して、呼出音や音声を出力するためのものである。
【００６８】
このように構成されたファクシミリ装置１は、回線Ｉ／Ｆ部１５を介して、電話回線３１に接続されている。この電話回線３１は、本ファクシミリ装置１の交換機２７に接続され、この交換機２７は、電話回線３２を介して、他の交換機に接続されている。なお、他の交換機は、更に、電話回線を介して相手側装置や転送先となる他の装置に接続されている。
【００６９】
図２に示すように、半導体化ＤＡＡ３３は、主に、回線終端、回線側との絶縁、ハイブリット、リンギング検出等の機能を持っている。そして、半導体化ＤＡＡ３３とモデム１６との間には、半導体化ＤＡＡ３３とモデム１６とを直流的に絶縁し、かつ、データや信号などを伝達する絶縁部としての絶縁部３５が介在している。
【００７０】
なお、半導体化ＤＡＡ３３には、後述するように、ＦＡＸデータのＡ／Ｄ変換、Ｄ／Ａ変換を行うＣＯＤＥＣ４０が設けられているため、絶縁部３５は、デジタル伝達となる。よって、かかる絶縁部３５には、高絶縁のコンデンサーが一般的に用いられる。
【００７１】
回線Ｉ／Ｆ部１５には、半導体化ＤＡＡ３３の外、ＴＥＬ→ＦＡＸ切換のためＣＭＬ（Connect MODEM to Line）リレー３６、整流器３７、及び、直流ループカット用コンデンサ３８ａ、３８ｂ、３８ｃ、３８ｄ等が設けられている。なお、端子Ｌ１，Ｌ２は回線網側への接続端子であり、端子Ｔ１，Ｔ２は外付け電話２６側への接続端子である（図１参照）。
【００７２】
ＣＭＬリレー３６は、待機時には、図２に示すように、外付け電話２６（端子Ｔ２）側にオンにされており、ＦＡＸ通信が始まると、混線を防止するべく、ＣＰＵ１１よりＣＭＬリレー制御信号をオフにして回線網を外付け電話２６から切り離す。
【００７３】
整流器３７は、回線網の直流ループ電流の極性を一方向へ整流するものである。半導体化ＤＡＡ３３の電源は、トランス４５を通して供給されるが、整流器３７で整流されることにより、電話回線３１の電圧極性に関係なく一定極性の電圧とされている。
【００７４】
半導体化ＤＡＡ３３は、図２に示すように、電圧検出回路３４、ハイブリッドネットワーク４４、リング検出回路３９、及び、ＣＯＤＥＣ４０等を備えている。電圧検出回路３４は、整流器３７により整流されて半導体ＤＡＡ３３に供給される電源の電圧値を検出するものであり、図２に示すように、整流器３７とハイブリッドネットワーク４４と結ぶ接続線とＣＯＤＥＣ４０とにそれぞれ接続されている。電圧検出回路３４による検出結果は、半導体化ＤＡＡ３３から、モデム１６を介して、ＣＰＵ１１へ出力される。
【００７５】
ハイブリットネットワーク４４は、回線網の開放および閉結を行うためのものであり、電話回線３１からのＦＡＸデータを送信／受信データに分離する２線−４線変換回路，送信データの受信経路への回り込みを抑制するキャンセラー回路，及びフィルタ回路等から構成される。このハイブリッドネットワーク４４には、図２に示すように、回線網、ＣＯＤＥＣ４０、シリアルＩ／Ｆ４１及びグランドが接続されている。なお、ＣＯＤＥＣ４０との間には、送信アンプ４２が介在している。
【００７６】
ＣＯＤＥＣ４０は、回線網からのモデム信号検出部として構成されると共に、ＦＡＸ受信データ及び送信データのＡ／Ｄ変換及びＤ／Ａ変換を行うためのものである。このＣＯＤＥＣ４０には、図２に示すように、回線網、外付け電話２６、電圧検出回路３４、ハイブリッドネットワーク４４及びシリアルＩ／Ｆ４１が、送信アンプ４２又はトーンアンプ４３を介して、接続されている。
【００７７】
なお、送信アンプ４２は、送信データのゲイン調整を行うためのものである。また、トーンアンプ４３は差動型の増幅器であり、電話回線３１の端子Ｌ１，Ｌ２に対し、差動入力になっており、モデム信号受信部を構成する。
【００７８】
ＣＯＤＥＣ４０に電話回線３１又は外付け電話２６からモデム信号が到来すると、トーンアンプ４３→ＣＯＤＥＣ４０→シリアルＩ／Ｆ４１→絶縁部３５→モデム１６の順に流れ、ＣＯＤＥＣ４０から送信される検出信号がＣＰＵ１１により検出される。
【００７９】
リング検出回路３９は、回線網からの呼出信号を検出する呼出信号検出部として構成される部位であり、図２に示すように、回線網、外付け電話２６及びシリアルＩ／Ｆ４１に接続されている。リング検出回路３９に電話回線３１から呼出信号やＣＡＲ信号が到来すると、それと同じサイクルで、リング検出回路３９→シリアルＩ／Ｆ４１→絶縁部３５のコンデンサ３５ａを通り、リング検出信号がＬ（ローレベル）からＨ（ハイレベル）へ（又は、その逆へ）変化することにより、モデム１６を介して、ＣＰＵ１１により検出される。
【００８０】
シリアルＩ／Ｆ４１は、リング検出回路３９からのリング検出信号やＣＯＤＥＣ４０からのＦＡＸ受信データ等を、絶縁部３５のコンデンサ３５ｂに対しシリアルデータに一本化する一方、回線網の閉結および開放を半導体化ＤＡＡ３３に行わせるための制御信号およびＣＯＤＥＣ４０へのＦＡＸ送信データに対し、絶縁部３５のコンデンサ３５ａからのシリアル信号をそれぞれに分離するためのものである。
【００８１】
次に、図３〜図７を参照して、上記のように構成されたファクシミリ装置１により実行される呼出音の鳴動制御に関する処理について説明する。図３は、ファクシミリ装置１で実行される呼出音鳴動メイン処理を示すフローチャートである。この呼出音鳴動メイン処理は、ファクシミリ装置１の設定に応じた呼出音を鳴動させる処理であり、特に、ナンバーディスプレイ設定がオンに設定されている場合には、交換機２７から送信された連続的にオンが継続される呼出信号の受信を確実に検出するための処理である。なお、この呼出音鳴動メイン処理は、ファクシミリ装置１の主要な動作を実行させるメイン処理（非図示）のプログラムに従って、所定時間（例えば、１０ｍｓ）毎に呼び出されることによって起動し、実行される処理である。
【００８２】
この呼出音鳴動メイン処理では、まず、初期化済みフラグ１３ｃがオンであるかを確認する（Ｓ１）。Ｓ１の処理により確認した結果、初期化済みフラグ１３ｃがオフであれば（Ｓ１：Ｎｏ）、Ｓ２の処理を行い、各種フラグの初期設定を行う。
【００８３】
具体的には、Ｓ２では、初期化済みフラグ１３ｃをオンとすると共に、ＮＤ設定フラグ１３ａ、鳴動不許可フラグ１３ｂ、初期検出フラグ１３ｄ、ＣＡＲ信号検出フラグ１３ｅ、呼出信号検出フラグ１３ｆ、鳴動許可フラグ１３ｇ、鳴動保留フラグ１３ｈ、保留時検出フラグ１３ｉ、鳴動要求フラグ１３ｊ、鳴動停止要求フラグ１３ｋ、緊急フラグ１３ｌ、鳴動中フラグ１３ｍをそれぞれオフとする。
【００８４】
Ｓ２の処理後、Ｓ３の処理へ移行する。また、Ｓ１の処理により確認した結果、初期化済みフラグ１３ｃがオンであれば（Ｓ１：Ｙｅｓ）、既に各種フラグの初期化が実行されているので、Ｓ２の処理をスキップし、Ｓ３の処理へ移行する。
【００８５】
Ｓ３では、無鳴動ボタン２２ｂがオンされているかを確認する。Ｓ３の処理により確認した結果、無鳴動ボタン２２ｂがオンされている場合には（Ｓ３：Ｙｅｓ）、鳴動不許可フラグ１３ｂをオンとし（Ｓ４）、一方で、無鳴動ボタン２２ｂがオフされている場合には（Ｓ３：Ｎｏ）、鳴動不許可フラグ１３ｂをオフとする（Ｓ１３）。
【００８６】
Ｓ４又はＳ１３の処理後、ＮＤ設定ボタン２２ａがオンされているかを確認し（Ｓ５）、ＮＤ設定ボタン２２ａがオンされている場合には（Ｓ５：Ｙｅｓ）、ＮＤ設定フラグ１３ａをオンとし（Ｓ６）、一方で、ＮＤ設定ボタン２２ａがオフされている場合には（Ｓ５：Ｎｏ）、ＮＤ設定フラグ１３ａをオフとする（Ｓ１４）。
【００８７】
Ｓ６又はＳ１４の処理後、ＮＤ設定フラグ１３ａがオンであるかを確認する（Ｓ７）。Ｓ７の処理により確認した結果、ＮＤ設定フラグ１３ａがオンであれば（Ｓ７：Ｙｅｓ）、ナンバーディスプレイ設定がオンされている場合における呼出信号に応じた呼出音の鳴動制御を行うＮＤ設定時呼出音鳴動制御処理（Ｓ８）を実行する。なお、このＮＤ設定時呼出音鳴動制御処理（Ｓ８）における具体的処理については、図４を参照して後述する。
【００８８】
一方で、Ｓ７の処理により確認した結果、ＮＤ設定フラグ１３ａがオフであれば（Ｓ７：Ｎｏ）、ナンバーディスプレイ設定がオフされている場合における呼出信号に応じた呼出音の鳴動制御を行うＮＤ非設定時呼出音鳴動制御処理（Ｓ１５）を実行する。
【００８９】
このＮＤ非設定時呼出音鳴動制御処理（Ｓ１５）は、リング検出回路３９によって、呼出信号の受信開始が検出されると、呼出音の鳴動が開始され、一方で、呼出信号の受信終了に伴って呼出信号が受信されなくなると、呼出音の鳴動が停止されるように制御される処理である。なお、このＮＤ非設定時呼出音鳴動制御処理（Ｓ１５）は、本発明の要旨ではないので、具体的処理の説明は省略する。
【００９０】
Ｓ８又はＳ１５の処理後、電話回線３１が閉結されたか、又は、相手側装置が呼出を終了したかを確認する（Ｓ９）。なお、このＳ９の処理で確認される「電話回線３１の閉結」は、呼出信号に応じて鳴動される呼出音に応答して、電話回線３１，３２などを介して相手側装置との通信を開始するために、ユーザによる外付け電話２６のフックアップなどの操作によってなされる閉結である。また、相手側装置が呼出を終了したか否かについては、呼出信号の不検出期間が十分に長く検出された場合に相手側装置が呼出を終了したと判断する。本実施例では、後述する呼出信号検出処理（図６）におけるＳ６１７の処理により開始時刻メモリ１３ｎに記憶された呼出信号の不検出期間の開始時刻から、所定時間（例えば、６０００ｍｓ）経過した場合に、相手側装置が呼出を終了したと判断するものとする。
【００９１】
Ｓ９の処理により確認した結果、電話回線３１が閉結された場合、又は、相手側装置が呼出を終了した場合には（Ｓ９：Ｙｅｓ）、呼出音の鳴動を停止し（Ｓ１０）、初期化済みフラグ１３ｃをオフし（Ｓ１１）、各処理として、例えば、極性の反転処理などを実行し（Ｓ１２）、この呼出音鳴動メイン処理を終了する。
【００９２】
一方で、Ｓ９の処理により確認した結果、電話回線３１が閉結されていない場合、又は、相手側装置が呼出を終了していない場合には（Ｓ９：Ｎｏ）、Ｓ１０，Ｓ１１の処理をスキップして、各処理（Ｓ１２）を実行し、この呼出音鳴動メイン処理を終了する。
【００９３】
次に、図４のフローチャートを参照して、上述したＮＤ設定時鳴動制御処理（Ｓ８）について説明する。このＮＤ設定時鳴動制御処理（Ｓ８）では、まず、鳴動許可フラグ１３ｇがオンであるかを確認する（Ｓ４０１）。Ｓ４０１の処理により確認した結果、鳴動許可フラグ１３ｇがオンである、即ち、ファクシミリ装置１における鳴動禁止期間が明けている場合には（Ｓ４０１：Ｙｅｓ）、図５を参照して後述する呼出音鳴動処理（Ｓ４１８）を実行し、このＮＤ設定時鳴動制御処理（Ｓ８）を終了する。
【００９４】
一方で、Ｓ４０１の処理により確認した結果、鳴動許可フラグ１３ｇがオフである場合、即ち、ファクシミリ装置１が待機状態にあるか又は鳴動禁止期間にある場合には（Ｓ４０１：Ｎｏ）、初期検出フラグ１３ｄがオンであるかを確認する（Ｓ４０２）。
【００９５】
Ｓ４０２の処理により確認した結果、初期検出フラグ１３ｄがオフである、即ち、ファクシミリ装置１が待機状態にある場合には（Ｓ４０２：Ｎｏ）、リング検出回路３９により呼出信号やＣＡＲ信号などの信号が検出されたかを確認する（Ｓ４１３）。
【００９６】
Ｓ４１３の処理により確認した結果、リング検出回路３９による信号の検出がなければ（Ｓ４１３：Ｎｏ）、このＮＤ設定時鳴動制御処理（Ｓ８）を終了する。
【００９７】
一方で、Ｓ４１３の処理により確認した結果、リング検出回路３９により信号が検出されると（Ｓ４１３：Ｙｅｓ）、初期検出フラグ１３ｄをオンし（Ｓ４１４）、ＣＰＵ１１に内蔵されるタイマ（非図示）の示す現在時刻を、開始時刻メモリ１３ｎに記憶する（Ｓ４１５）。
【００９８】
Ｓ４１５の処理後、Ｓ４１３において検出された信号がＣＡＲ信号であるかを確認し（Ｓ４１６）、ＣＡＲ信号であれば（Ｓ４１６：Ｙｅｓ）、ＣＡＲ信号検出フラグ１３ｅをオンし（Ｓ４１７）、このＮＤ設定時鳴動制御処理（Ｓ８）を終了する。
【００９９】
一方で、Ｓ４１６の処理により確認した結果、リング検出回路３９により検出された信号がＣＡＲ信号でなければ（Ｓ４１６：Ｎｏ）、検出された信号の受信に応じた処理などの各処理（Ｓ４１２）を実行し、このＮＤ設定時鳴動制御処理（Ｓ８）を終了する。
【０１００】
また、Ｓ４０２の処理により確認した結果、初期検出フラグ１３ｄがオンである、即ち、ファクシミリ装置１が鳴動禁止期間にある場合には（Ｓ４０２：Ｙｅｓ）、ＣＡＲ信号検出フラグ１３ｅがオンであるか、即ち、ＣＡＲ信号及びモデム信号の受信中であるかを確認する（Ｓ４０３）。
【０１０１】
Ｓ４０３の処理により確認した結果、ＣＡＲ信号検出フラグ１３ｅがオンであれば（Ｓ４０３：Ｙｅｓ）、モデム信号受信処理（Ｓ４０５）を実行する。このモデム信号受信処理（Ｓ４０５）では、呼出音鳴動メイン処理（図３参照）の起動毎（例えば、１０ｍｓ毎）に、所定数（例えば、２個）のＣＡＲ信号が受信されたかを確認し、所定数のＣＡＲ信号の受信が確認されると、電話回線３１の閉結を行い、モデム信号の受信を行う処理である。なお、このモデム信号受信処理（Ｓ４０５）は、本発明の要旨ではないので具体的処理の説明は省略する。
【０１０２】
Ｓ４０５の処理後、モデム信号の受信が完了したかを確認し（Ｓ４０６）、モデム信号の受信完了が確認されると（Ｓ４０６：Ｙｅｓ）、電話回線３１を開放し（Ｓ４０７）、ＣＡＲ信号検出フラグ１３ｅをオフする（Ｓ４０８）。
【０１０３】
Ｓ４０８の処理後、初期検出フラグ１３ｄをオフし（Ｓ４０９）、鳴動許可フラグ１３ｇをオンし（Ｓ４１０）、鳴動保留フラグ１３ｈをオンし（Ｓ４１１）、このＮＤ設定時呼出音鳴動制御処理（Ｓ８）を終了する。
【０１０４】
一方で、Ｓ４０３の処理により確認した結果、ＣＡＲ信号検出フラグ１３ｅがオフである場合には（Ｓ４０３：Ｎｏ）、ＣＰＵ１１に内蔵されるタイマ（非図示）の示す現在時刻と開始時刻メモリ１３ｎに記憶されている時刻との差が、鳴動禁止期間の限界値として予め規定されている第３所定時間（例えば、７００ｍｓ）を超えたかを確認し（Ｓ４０４）、第３所定時間を超えていなければ（Ｓ４０４：Ｎｏ）、即ち、ＣＡＲ信号以外の信号の検出処理やその際に検出された信号の受信に応じた処理などの各処理（Ｓ４１２）を実行し、このＮＤ設定時鳴動制御処理（Ｓ８）を終了する。
【０１０５】
また、Ｓ４０４の処理により確認した結果、ＣＰＵ１１に内蔵されるタイマ（非図示）の示す現在時刻と開始時刻メモリ１３ｎに記憶されている時刻との差が、第３所定時間（例えば、７００ｍｓ）を超えていた場合には（Ｓ４０４：Ｙｅｓ）、Ｓ４０５〜Ｓ４０８の処理をスキップして、Ｓ４０９〜Ｓ４１１の処理を実行し、このＮＤ設定時呼出音鳴動制御処理（Ｓ８）を終了する。
【０１０６】
従って、（１）待機状態にあるファクシミリ装置１がＣＡＲ信号を検出した場合には、モデム信号の受信完了に伴って電話回線３１が開放されたことによって、また、（２）待機状態にあるファクシミリ装置がＣＡＲ信号以外の信号を受信した場合には、その信号受信の検出開始から、鳴動禁止期間の限界値として予め規定されている第３所定時間（例えば、７００ｍｓ）が経過したことによって、鳴動許可フラグ１３ｇがオンされ、鳴動禁止期間が明けたとされる。
【０１０７】
次に、図５のフローチャートを参照して、上述した呼出音鳴動処理（Ｓ４１８）について説明する。この呼出音鳴動処理（Ｓ４１８）では、まず、呼出信号検出処理（Ｓ５０１）を実行する。その詳細は図６を参照して後述するが、この呼出信号検出処理（Ｓ５０１）では、リング検出回路３９による呼出信号の受信状況を検出し、その検出結果に応じて、鳴動要求フラグ１３ｊ、鳴動停止要求フラグ１３ｋがオンされる。
【０１０８】
呼出信号検出処理（Ｓ５０１）の実行後、鳴動要求フラグ１３ｊがオンであるかを確認し（Ｓ５０２）、鳴動要求フラグ１３ｊがオンであれば（Ｓ５０２：Ｙｅｓ）、鳴動中フラグ１３ｍがオンであるかを確認する（Ｓ５０３）。Ｓ５０３の処理により確認した結果、鳴動中フラグ１３ｍがオフであれば（Ｓ５０３：Ｎｏ）、図７を参照して後述する鳴動開始処理（Ｓ５０４）が実行されて、呼出音の鳴動が開始される。そして、鳴動開始処理（Ｓ５０４）の実行後、鳴動要求フラグ１３ｊをオフして（Ｓ５０５）、この呼出音鳴動処理（Ｓ４１８）を終了する。
【０１０９】
一方で、Ｓ５０２の処理により確認した結果、鳴動要求フラグ１３ｊがオフであれば（Ｓ５０２：Ｎｏ）、鳴動停止要求フラグ１３ｋがオンであるかを確認する（Ｓ５０６）。Ｓ５０６の処理により確認した結果、鳴動停止要求フラグ１３ｋがオンであれば（Ｓ５０６：Ｙｅｓ）、呼出メロディ設定メモリ２８ｂに呼出メロディが記憶されているか、即ち、鳴動中の呼出音が呼出メロディであるかを確認する（Ｓ５０７）。
【０１１０】
Ｓ５０７の処理により確認した結果、呼出メロディ設定メモリ２８ｂに呼出メロディが記憶されていない場合には（Ｓ５０７：Ｎｏ）、鳴動中の呼出音を停止し（Ｓ５０８）、鳴動中フラグ１３ｍ及び鳴動停止要求フラグ１３ｋをオフし（Ｓ５０９〜Ｓ５１０）、この呼出音鳴動処理（Ｓ４１８）を終了する。
【０１１１】
一方、Ｓ５０７の処理により確認した結果、呼出メロディ設定メモリ２８ｂに呼出メロディが記憶されていれば（Ｓ５０７：Ｙｅｓ）、Ｓ５０８，Ｓ５０９の処理をスキップし、Ｓ５１０の処理へ移行する。
【０１１２】
また、Ｓ５０６の処理により確認した結果、鳴動停止要求フラグ１３ｋがオフであれば（Ｓ５０６：Ｎｏ）、Ｓ５０７〜Ｓ５１０の処理をスキップして、この呼出音鳴動処理（Ｓ４１８）を終了する。
【０１１３】
次に、図６を参照して、上述した呼出信号検出処理（Ｓ５０１）について説明する。この呼出信号検出処理（Ｓ５０１）では、まず、リング検出回路３９により呼出信号が検出されたかを確認する（Ｓ６０１）。
【０１１４】
Ｓ６０１の処理により確認した結果、呼出信号が検出されなければ（Ｓ６０１：Ｎｏ）、呼出信号検出フラグ１３ｆがオンであるかを確認する（Ｓ６１２）。Ｓ６１２の処理により確認した結果、呼出信号検出フラグ１３ｆがオンであれば（Ｓ６１２：Ｙｅｓ）、即ち、呼出信号が受信が終了したことに伴って、リング検出回路３９における呼出信号の不検出期間が開始された場合であれば、保留時検出フラグ１３ｉがオンであるかを確認する（Ｓ６１３）。
【０１１５】
Ｓ６１３の処理により確認した結果、保留時検出フラグ１３ｉがオンであれば（Ｓ６１３：Ｙｅｓ）、鳴動保留フラグ１３ｈをオフし（Ｓ６１４）、保留時検出フラグ１３ｉをオフし（Ｓ６１５）、呼出信号検出フラグ１３ｆをオフする（Ｓ６１６）。
【０１１６】
一方で、Ｓ６１３の処理により確認した結果、保留時検出フラグ１３ｉがオフであれば（Ｓ６１３：Ｎｏ）、Ｓ６１４，Ｓ６１５の処理をスキップし、Ｓ６１６の処理へ移行する。
【０１１７】
Ｓ６１６の処理後、ＣＰＵ１１に内蔵されるタイマ（非図示）の示す現在時刻を、開始時刻メモリ１３ｎに記憶する（Ｓ６１７）。Ｓ６１７の処理により、呼出信号の不検出期間の開始時刻が記憶される。Ｓ６１７の処理後、Ｓ６１８の処理へ移行する。
【０１１８】
一方で、Ｓ６１２の処理により確認した結果、呼出信号検出フラグ１３ｆがオフであれば（Ｓ６１２：Ｎｏ）、鳴動保留フラグ１３ｈがオンであるかを確認し（Ｓ６２２）。鳴動保留フラグ１３ｈがオンであれば（Ｓ６２２：Ｙｅｓ）、鳴動保留フラグ１３ｈをオフし（Ｓ６２３）、この呼出音信号検出処理（Ｓ５０１）を終了する。
【０１１９】
よって、鳴動保留期間中における呼出信号の不検出期間の検出開始が確認されると、Ｓ６１４又はＳ６２３の処理により、鳴動保留フラグ１３ｈがオフされる。その結果、次に呼出信号の受信が開始された場合にはその呼出信号に基づいて呼出音が鳴動される。従って、鳴動禁止期間の明けるタイミングと呼出信号の受信が開始されたタイミングとによって生じ得る中途半端な呼出音の鳴動を防止することができる。
【０１２０】
また、Ｓ６２２の処理により確認した結果、鳴動保留フラグ１３ｈがオフである場合には（Ｓ６２２：Ｎｏ）、Ｓ６１８の処理へ移行する。Ｓ６１８では、ＣＰＵ１１に内蔵されるタイマ（非図示）の示す現在時刻と、Ｓ６１７の処理により開始時刻メモリ１３ｎに記憶されている時刻との差が、第１所定時間を超えたかを確認する。なお、この「第１所定時間」は、（１）受信されていた呼出信号（オンされていた呼出信号）が不検出となった（オフされた）と認定するために予め規定されている値であると共に、（２）間欠的にオンとオフとが繰り返される呼出信号の受信（呼出信号のオン）を認定するために予め規定されている時間であり、本実施例では９０ｍｓに規定されている。
【０１２１】
よって、Ｓ６１８の処理により確認した結果、現在時刻と開始時刻メモリ１３ｎに記憶されている時刻の差、即ち、呼出信号の不検出期間が開始されてからの時間が、第１所定時間を超えていた場合には（Ｓ６１８：Ｙｅｓ）、オンされていた呼出信号がオフされたと認定され、鳴動停止要求フラグ１３ｋをオンし（Ｓ６１９）、緊急フラグ１３ｌ及び鳴動中フラグ１３ｍをオフし（Ｓ６２０，Ｓ６２１）、この呼出信号検出処理（Ｓ５０１）を終了する。その結果として、上述した呼出音鳴動処理（図５参照）におけるＳ５０８の処理により、鳴動中の呼出音が停止される。
【０１２２】
一方で、Ｓ６１８の処理により確認した結果、現在時刻と開始時刻メモリ１３ｎに記憶されている時刻の差が第１所定時間以下である場合には、Ｓ６１９〜Ｓ６２１の処理をスキップして、この呼出信号検出処理（Ｓ５０１）を終了する。
【０１２３】
また、Ｓ６０１の処理により確認した結果、リング検出回路３９により呼出信号が検出された場合には（Ｓ６０１：Ｙｅｓ）、呼出信号検出フラグ１３ｆがオンであるかを確認する（Ｓ６０２）。
【０１２４】
Ｓ６０２の処理により確認した結果、呼出信号検出フラグ１３ｆがオフであれば（Ｓ６０２：Ｎｏ）、即ち、呼出信号の受信が開始された場合であれば、呼出信号検出フラグ１３ｆをオンし（Ｓ６０３）、ＣＰＵ１１に内蔵されるタイマ（非図示）の示す現在時刻を、開始時刻メモリ１３ｎに記憶する（Ｓ６０４）。Ｓ６０４の処理により、呼出信号の受信開始時刻が記憶される。Ｓ６０４の処理後、Ｓ６０５の処理へ移行する。
【０１２５】
一方で、Ｓ６０２の処理により確認した結果、呼出信号検出フラグ１３ｆがオンであれば（Ｓ６０２：Ｙｅｓ）、Ｓ６０３，Ｓ６０４の処理をスキップして、Ｓ６０５の処理へ移行する。
【０１２６】
Ｓ６０５では、鳴動保留フラグ１３ｈがオンであるか、即ち、ファクシミリ装置１が鳴動保留期間にあるかを確認する。Ｓ６０５の処理により確認した結果、鳴動保留フラグ１３ｈがオフであれば（Ｓ６０５：Ｎｏ）、ＣＰＵ１１に内蔵されるタイマ（非図示）の示す現在時刻と、Ｓ６０４の処理により開始時刻メモリ１３ｎに記憶されている時刻との差が、第１所定時間（例えば、９０ｍｓ）を超えたかを確認する（Ｓ６１１）。即ち、Ｓ６１１では、呼出信号の受信が開始されてからの受信期間が、第１所定時間を超えたかの確認を行う。
【０１２７】
Ｓ６１１の処理により確認した結果、呼出信号の受信期間が第１所定時間を超えた場合には（Ｓ６１１：Ｙｅｓ）、間欠的にオンとオフとが繰り返される呼出信号が受信されたと認定され、鳴動要求フラグ１３ｊをオンして（Ｓ６１０）、この呼出信号検出処理（Ｓ５０１）を終了する。その結果として、図７を参照して後述する鳴動開始処理（Ｓ５０４）により、呼出音の鳴動が開始される。
【０１２８】
ここで、鳴動保留フラグ１３ｈがオフである場合にリング検出回路３９により検出された呼出信号は、交換機２７から間欠的に送信される呼出信号である。よって、ファクシミリ装置１は、そのような間欠的な呼出信号に対し、呼出信号が受信開始から第１所定時間経過したことを確認した場合に、呼出信号が受信されたと認識し、鳴動要求フラグ１３ｊをオンすることによって呼出音の鳴動を開始する。
【０１２９】
一方で、Ｓ６１１の処理により確認した結果、呼出信号の受信期間が第１所定時間以下である場合には（Ｓ６１１：Ｎｏ）、Ｓ６０９の処理をスキップし、この呼出音信号検出処理（Ｓ５０１）を終了する。
【０１３０】
また、Ｓ６０５の処理により確認した結果、鳴動保留フラグ１３ｈがオン、即ち、ファクシミリ装置が鳴動保留期間にある場合には（Ｓ６０５：Ｙｅｓ）、保留時検出フラグ１３ｉをオンする（Ｓ６０６）。
【０１３１】
Ｓ６０６の処理後、ＣＰＵ１１に内蔵されるタイマ（非図示）の示す現在時刻と、Ｓ６０４の処理により開始時刻メモリ１３ｎに記憶されている時刻との差が、第２所定時間（例えば、１５００ｍｓ）を超えたかを確認する（Ｓ６０７）。即ち、Ｓ６０７では、鳴動保留期間において受信された呼出信号の受信期間が、第２所定時間を超えたかの確認を行う。
【０１３２】
なお、この「第２所定時間」は、鳴動禁止期間の明けた後の鳴動保留期間中に受信されている呼出信号が連続的にオンが継続される呼出信号であると認定するために予め規定されている時間であり、特許請求の範囲における用語「規定受信期間」に対応するものである。この「第２所定時間」は、連続的にオンが継続される呼出信号と、間欠的にオンとオフが繰り返される呼出信号とを区別できるように、間欠的にオンとオフが繰り返される呼出信号におけるオン期間より長い時間に設定される。本実施例では、この第２所定時間を、間欠的にオンとオフとが繰り返される呼出信号における一般的なオン期間の値（約１０００ｍｓ）に、所定の猶予時間を加算した値として１５００ｍｓとしている。
【０１３３】
Ｓ６０７の処理により確認した結果、鳴動保留期間において受信された呼出信号の受信期間が第２所定時間を超えた場合には（Ｓ６０７：Ｙｅｓ）、緊急フラグ１３ｌをオンし（Ｓ６０８）、保留時検出フラグ１３ｉをオフし（Ｓ６０９）、鳴動要求フラグ１３ｊをオンする（Ｓ６１０）。その結果として、図７を参照して後述する鳴動開始処理（Ｓ５０４）により、呼出音の鳴動が開始される。
【０１３４】
従来のファクシミリ装置では、ナンバーディスプレイ設定をオンにした場合に、最初の呼出音の鳴動時に中途半端な鳴動がされないように、鳴動禁止期間が明けた直後のタイミングにおいて受信されている呼出信号を無視し、次に受信される呼出信号の受信開始をトリガとして呼出音の鳴動を開始させるように制御されていた。なお、これは、本実施例のファクシミリ装置１で実行されるＳ６１３及びＳ６２２の処理に相当する。
【０１３５】
しかし、そのように制御されていた従来のファクシミリ装置では、ナンバーディスプレイ設定がオンに設定されていた場合に、連続的にオンが継続される呼出信号を受信したとしても、鳴動開始のトリガを認識できず、その結果として、呼出音が鳴動されなかった。そのため、ユーザは、その呼出信号の受信を認識できず、応答することができなかった。
【０１３６】
これに対し、本実施例のファクシミリ装置１では、Ｓ６０７〜Ｓ６１０の処理により、鳴動保留期間において受信された呼出信号の受信期間が第２所定時間を超えた場合に、その呼出信号を連続的にオンが継続される呼出信号であると認定し、その結果として、呼出音の鳴動を開始する。よって、ユーザはその呼出信号の受信を確実に認識することができるのである。即ち、ナンバーディスプレイ設定がオンに設定されている場合であっても、連続的にオンが継続される呼出信号に対して呼出音を確実に鳴動させることができ、その結果として、警察や消防などからのコールバックを初めとする緊急呼出をユーザに確実に認識させることができる。
【０１３７】
一方で、Ｓ６０７の処理により確認した結果、鳴動保留期間において受信された呼出信号の受信期間が第２所定時間以下である場合には（Ｓ６０７：Ｎｏ）、Ｓ６０８〜Ｓ６１０の処理をスキップして、この呼出信号検出処理（Ｓ５０１）を終了する。
【０１３８】
次に、図７のフローチャートを参照して、上述した鳴動開始処理（Ｓ５０４）について説明する。この鳴動開始処理（Ｓ５０４）ではまず、鳴動不許可フラグ１３ｂがオンであるかを確認する（Ｓ７０１）。Ｓ７０１の処理により確認した結果、鳴動不許可フラグ１３ｂがオフである場合、即ち、呼出信号に応じて呼出音が鳴動されるように設定されている場合には（Ｓ７０１：Ｎｏ）、緊急フラグ１３ｌがオンであるかを確認する（Ｓ７０２）。
【０１３９】
Ｓ７０２の処理により確認した結果、緊急フラグ１３ｌがオンであれば（Ｓ７０２：Ｙｅｓ）、音量を最大に設定し（Ｓ７０３）、Ｓ７０４の処理へ移行する。一方で、Ｓ７０２の処理により確認した結果、緊急フラグ１３ｌがオフである場合には（Ｓ７０２：Ｎｏ）、Ｓ７０３の処理をスキップして、Ｓ７０４の処理へ移行する。
【０１４０】
よって、本実施例のファクシミリ装置１は、Ｓ７０３の処理により、交換機２７から送信された連続的にオンが継続される呼出信号を受信すると、呼出音の鳴動時における音量を自動的に最大とする。その結果、警察や消防などからのコールバックのように、ユーザが確実に認識する必要のある緊急呼出の場合において、呼出音が必ず最大音量で鳴動することになるので、ユーザによる呼出音の音量設定にかかわらず、そのような緊急呼出をユーザに確実に認識させることができる。
【０１４１】
Ｓ７０４では、呼出メロディ設定メモリ２８ｂに、呼出音として設定された呼出メロディが記憶されているかを確認する。Ｓ７０４の処理により確認した結果、呼出メロディ設定メモリ２８ｂに、呼出音として設定された呼出メロディが記憶されていれば（Ｓ７０４：Ｙｅｓ）、緊急フラグ１３ｌがオンであるかを確認する（Ｓ７０５）。
【０１４２】
Ｓ７０５の処理により確認した結果、緊急フラグ１３ｌがオフであれば（Ｓ７０５：Ｎｏ）、呼出メロディ設定メモリ２８ｂに記憶されている呼出メロディの鳴動を開始し（Ｓ７０６）、鳴動中フラグ１３ｍをオンして（Ｓ７０７）、この鳴動開始処理（Ｓ５０４）を終了する。
【０１４３】
一方で、Ｓ７０５の処理により確認した結果、緊急フラグ１３ｌがオンであれば（Ｓ７０５：Ｙｅｓ）、ベル音メモリ２８ｃに記憶されているベル音の鳴動を開始し（Ｓ７０８）、鳴動中フラグ１３ｍをオンして（Ｓ７０７）、この鳴動開始処理（Ｓ５０４）を終了する。
【０１４４】
よって、本実施例のファクシミリ装置１は、呼出音として呼出メロディが設定されている場合であっても、連続的にオンが継続される呼出信号を受信した場合に、呼出音が、ユーザにとってより認識し易い音声であるベル音に自動的に変更される。その結果、警察や消防などからのコールバックのように、ユーザが確実に認識する必要性の高い緊急呼出の場合において、呼出メロディの代わりにベル音が鳴動されるので、そのような緊急呼出をユーザに確実に認識させることができる。
【０１４５】
なお、この場合、上述したＳ７０３の処理が予め実行されているので、本実施例のファクシミリ装置１が、連続的にオンが継続される呼出信号を受信した場合には、ベル音メモリ２８ｃに記憶されているベル音が最大音量で鳴動されることになるので、ユーザは緊急呼出をより確実に認識することができる。
【０１４６】
また、Ｓ７０４の処理により確認した結果、呼出メロディ設定メモリ２８ｂに、呼出音として設定された呼出メロディが記憶されていなければ（Ｓ７０４：Ｎｏ）、ベル音メモリ２８ｃに記憶されているベル音の鳴動を開始し（Ｓ７０８）、鳴動中フラグ１３ｍをオンして（Ｓ７０７）、この鳴動開始処理（Ｓ５０４）を終了する。
【０１４７】
一方で、Ｓ７０１の処理により確認した結果、鳴動不許可フラグ１３ｂがオンである場合、即ち、呼出信号を受信しても呼出音を鳴動しないように設定されている場合には（Ｓ７０１：Ｙｅｓ）、緊急フラグ１３ｌがオンであるかを確認し（Ｓ７０９）、緊急フラグ１３ｌがオンであれば（Ｓ７０９：Ｙｅｓ）、音量を最大に設定する（Ｓ７０３）。
【０１４８】
よって、本実施例のファクシミリ装置１は、連続的にオンが継続される呼出信号を受信した場合に、呼出音が鳴動されないように設定されていたとしても、最大の音量で呼出音が鳴動されるころになる。また、この場合、結果的に、上述したＳ７０８の処理が行われるので、ベル音メモリ２８ｃに記憶されているベル音が最大音量で鳴動されることになる。従って、警察や消防などからのコールバックのように、ユーザが確実に認識する必要のある緊急呼出の場合において、そのような緊急呼出をユーザに確実に認識させることができる。
【０１４９】
また、Ｓ７０９の処理により確認した結果、緊急フラグ１３ｌがオフであれば（Ｓ７０９：Ｎｏ）、Ｓ７０３〜Ｓ７０８の処理をスキップして、この鳴動開始処理（Ｓ５０４）を終了する。
【０１５０】
次に、図８を参照して、上記のように制御されるファクシミリ装置１における、ナンバーディスプレイ設定がオンである場合の呼出音鳴動の動作について説明する。図８は、ナンバーディスプレイ設定がオンに設定されたファクシミリ装置１における、呼出信号の受信タイミングと呼出音の鳴動タイミングとを模式的に示すタイミングチャートである。
【０１５１】
図８（ａ）は、待機中のファクシミリ装置１がＣＡＲ信号を受信すると共に、間欠的にオンとオフとを繰り返す呼出信号を受信する場合におけるタイミングチャートである。図８（ａ）に示すように、ナンバーディスプレイ設定がオンに設定されたファクシミリ装置１が、時刻ｔａ１においてＣＡＲ信号の受信を検出すると、所定数（例えば、２個）のＣＡＲ信号の受信、電話回線３１の閉結、モデム信号の受信などを行った後、時刻ｔａ２のタイミングで、電話回線３１を開放する。
【０１５２】
ファクシミリ装置１は、この時刻ｔａ２のタイミングで鳴動許可フラグ１３ｇをオンし、時刻ｔａ２以降、呼出信号に応じた呼出音の鳴動が許可される（鳴動禁止期間が明ける）。ただし、このタイミングで鳴動保留フラグ１３ｈがオンされるので、鳴動保留フラグ１３ｈがオフされるまでは呼出信号の受信を検出しても、呼出音の鳴動は保留される。
【０１５３】
モデム信号を受信した場合、時刻ｔａ２の次のタイミング（時刻ｔａ３）で呼出音鳴動メイン処理が起動された際には、呼出信号は検出されないので、このタイミングで鳴動保留フラグ１３ｈがオフされる。よって、時刻ｔａ３以降、呼出信号に応じて呼出音が鳴動する。
【０１５４】
時刻ｔａ４において、呼出信号の受信開始が検出されると、この時刻からの経過時間（受信期間）が計測され、時刻ｔａ４から第１所定時間であるＴ１ｍｓ（本実施例では、９０ｍｓ）後の時刻ｔａ５において、鳴動要求フラグ１３ｊがオンされ、その結果として、設定に応じた呼出音（ベル音又は呼出メロディ）での鳴動が開始される。
【０１５５】
続いて、時刻ｔａ6において、受信中の呼出信号の受信終了が検出されると、この時刻からの経過時間（受信期間）が計測される。そして、呼出メロディ設定メモリ２８ｂに呼出メロディが記憶されていない場合、即ち、呼出音がベル音に設定されている場合には、時刻ｔａ6から第１所定時間であるＴ１ｍｓ（本実施例では、９０ｍｓ）後の時刻ｔａ７において、鳴動要求フラグ１３ｊがオフされて、その結果、呼出音（ベル音）の鳴動が停止される。
【０１５６】
呼出音がベル音に設定されている場合には、さらに、時刻ｔａ８における呼出信号の検出からＴ１ｍｓ後の時刻ｔａ９において、再度、鳴動要求フラグ１３ｊがオンされるので、呼出音の鳴動が開始される。
【０１５７】
一方で、呼出音の設定が呼出メロディである場合には、時刻時刻ｔａ５において呼出メロディの鳴動が開始すると、相手側装置との通信のために電話回線３１が閉結されるまでは、鳴動停止要求フラグ１３ｋがオンされても無視されるので、時刻ｔａ７においても呼出メロディの鳴動は停止されない。
【０１５８】
図８（ｂ）及び図８（ｃ）は、いずれも、待機中のファクシミリ装置１が間欠的にオンとオフとが繰り返される呼出信号を受信する場合におけるタイミングチャートである。図８（ｂ）及び図８（ｃ）に示すように、ナンバーディスプレイ設定がオンに設定されたファクシミリ装置１が、時刻ｔ１において呼出信号の受信を検出した場合には、時刻ｔ１から第３所定時間（本実施例では、７００ｍｓ）後の時刻ｔ２において、鳴動許可フラグ１３ｇがオンされる。
【０１５９】
よって、時刻ｔ２以降、呼出信号に応じた呼出音の鳴動が許可される（鳴動禁止期間が明ける）。ただし、このタイミングで鳴動保留フラグ１３ｈがオンされるので、鳴動保留フラグ１３ｈがオフされるまでは呼出信号の受信を検出しても、呼出音の鳴動は保留される。
【０１６０】
ここで、図８（ｂ）に示すように、時刻ｔ２の次のタイミング、即ち、時刻ｔｂ３で呼出音鳴動メイン処理が起動された際に、呼出信号が検出されなかった場合には、このタイミングで鳴動保留フラグ１３ｈがオフされる。よって、時刻ｔｂ３以降、呼出信号に応じて呼出音が鳴動される。
【０１６１】
よって、時刻ｔｂ４において、呼出信号の受信開始が検出されると、時刻ｔｂ４からＴ１ｍｓ後の時刻ｔｂ５において、鳴動要求フラグ１３ｊがオンされ、その結果として、設定に応じた呼出音（ベル音又は呼出メロディ）での鳴動が開始される。
【０１６２】
一方で、図８（ｃ）に示すように、時刻ｔ２の次のタイミングで呼出音鳴動メイン処理が起動された際に、呼出信号が検出されたとしても、その時点では鳴動保留フラグ１３ｈがオンされたままであるので、呼出音の鳴動が保留される。
【０１６３】
そして、呼出信号の受信が終了する時刻ｔｃ３のタイミングで鳴動保留フラグがオフされるので、次に呼出信号の受信を検出する時刻ｔｃ４からＴ１ｍｓ後の時刻ｔａ５において、鳴動要求フラグ１３ｊがオンされ、その結果として、設定に応じた呼出音（ベル音又は呼出メロディ）での鳴動が開始される。
【０１６４】
なお、図８（ｂ）及び図８（ｃ）において、呼出信号の受信終了のタイミング（時刻ｔｂ６及び時刻ｔｃ６）及び呼出音の鳴動タイミング（時刻ｔｂ７及び時刻ｔｃ７）で行われるファクシミリ装置１の動作は、図８（ａ）における呼出信号の受信終了のタイミング（時刻ｔａ６）及び呼出音の鳴動タイミング（時刻ｔａ７）で行われる動作と同様である。また、呼出音の設定がベル音か呼出メロディか応じて異なる呼出音の鳴動開始及び鳴動終了の動作も、図８（ａ）で説明した通りである。
【０１６５】
図８（ｄ）は、待機中のファクシミリ装置１が連続的にオンが継続される呼出信号を受信した場合におけるタイミングチャートである。図８（ｄ）に示すように、ナンバーディスプレイ設定がオンに設定されたファクシミリ装置１が、時刻ｔ１において呼出信号の受信を検出した場合には、時刻ｔ１から第３所定時間（本実施例では、７００ｍｓ）後の時刻ｔ２において、鳴動許可フラグ１３ｇをオンする。
【０１６６】
よって、時刻ｔ２以降、呼出信号に応じた呼出音の鳴動が許可される（鳴動禁止期間が明ける）。ただし、このタイミングで鳴動保留フラグ１３ｈがオンされるので、鳴動保留フラグ１３ｈがオフされるまでは呼出信号の受信を検出しても、呼出音の鳴動が保留される。
【０１６７】
従来のファクシミリ装置１では、ナンバーディスプレイ設定をオンにした場合に連続的にオンが継続される呼出信号を受信しても、鳴動保留フラグ１３ｈをオフするタイミングを得られなかったために、呼出音を鳴動させることができなかった。
【０１６８】
本実施例のファクシミリ装置１によれば、図８（ｄ）に示すように、時刻ｔ２から、第２所定時間であるＴ２ｍｓ（本実施例では、１５００ｍｓ）後の時刻ｔｄ３において、緊急フラグ１３ｌがオンされて、その結果として、呼出音の鳴動が開始される。その際、呼出音が呼出メロディに設定されていても、ベル音に設定されるので、時刻ｔｄ３以降、連続したベル音の鳴動がなされる。
【０１６９】
なお、上記第１実施例では、ナンバーディスプレイ設定がオンである場合に、連続してオンが継続される呼出信号を検出するための値として用いる第２所定時間を、間欠的にオンとオフとが繰り返される呼出信号における一般的なオン期間（約１０００ｍｓ）に、所定の猶予時間を加算して得られた値として１５００ｍｓとした。このように、第２所定時間として規定される時間を１種類の値（上記第１実施例では１５００ｍｓ）とすることに換えて、複数の候補値の中から最適な第２所定時間を選択した上で設定できるように構成してもよい。
【０１７０】
この場合、第２所定時間として設定可能な候補値を複数記憶した第２所定時間テーブル（特許請求の範囲における請求項２に記載される「規定受信期間記憶手段」に対応する）をＲＯＭ１２又はＥＥＰＲＯＭ２８に設けると共に、その第２所定時間テーブルに記憶される値の中から１の値を選択する選択手段（特許請求の範囲における請求項２に記載される「選択手段」に対応する）によってユーザにより選択された値を第２所定時間として記憶する第２所定時間メモリをＲＡＭ１３又はＥＥＰＲＯＭ２８に設けるように構成すればよい。
【０１７１】
ここで、上記の第２所定時間テーブルに記憶させる第２所定時間として設定可能な候補値は、各国の規格に応じた間欠的な呼出信号における１のオン期間に所定の猶予時間（例えば、５００ｍｓ程度）を加算し、そのまま第２所定時間として使用可能な値であってもよいし、各国の呼出信号の規格に応じた間欠的な呼出信号における１のオン期間の値であってもよい。第２所定時間テーブルに各国の呼出信号の規格に応じたオン時間の値が記憶されている場合には、選択手段により１の値が選択された後、その選択された値に所定の猶予時間（例えば、５００ｍｓ程度）を演算手段によって加算し、その演算手段による演算結果をＲＡＭ１３に設けられた第２所定時間メモリに、第２所定時間として記憶するように構成すればよい。
【０１７２】
そして、第２所定時間テーブルの中から選択された１の値が第２所定時間として第２所定時間メモリに記憶されると、上述した第１実施例におけるＳ６０７の処理において、第２所定時間メモリに記憶された値を用いるように構成すればよい。
【０１７３】
このように構成することによって、交換機２７から送信される各種信号の規格が異なる各国毎に適した値を第２所定時間として設定することができるので、種々の国において、ナンバーディスプレイ設定がオンに設定されている場合であっても、連続的にオンが継続される呼出信号の受信を確実に検出でき、その結果、呼出音を確実に鳴動できる。
【０１７４】
次に、図９のフローチャートを参照して、ファクシミリ装置１の第２実施例について説明する。この第２実施例のファクシミリ装置１は、間欠的な呼出信号における１のオン期間を基準受信時間（基準受信期間）として予め測定し、その測定された基準受信時間に基づいて第２所定時間を決定するものである。なお、第２実施例のファクシミリ装置１では、図９を参照して説明した第２所定時間測定処理が、呼出音鳴動メイン処理の一部として実行される以外は、第１実施例と同じ処理が実行される。この第２実施例において、上記した第１実施例と同一の部分には同一の符号を付して、その説明を省略する。
【０１７５】
第２実施例のファクシミリ装置１のＲＡＭ１３は、各種フラグ１３ａ〜１３ｍ及び開始時刻メモリ１３ｎに加えて、測定モードフラグ１３ｏと、測定開始フラグ１３ｐと、第２所定時間を得るための測定を行うモード（以下、「測定モード」と称する）における測定開始時刻を記憶する測定開始時刻メモリ１３ｑと、測定モードによる測定結果により得られた第２所定時間を記憶する第２所定時間記憶メモリ１３ｒとを備えている。
【０１７６】
測定モードフラグ１３ｏは、測定モードによる測定によって第２所定時間が得られたか否かを示すフラグであり、電源投入後、測定モードによる測定によって得られた第２所定時間が第２所定時間メモリ１３ｒに記憶されるまでオンされているフラグである。この測定モードフラグ１３ｏは、測定によって得られた第２所定時間が第２所定時間メモリ１３ｒに記憶されるとオフされる。なお、測定モードフラグ１３ｏは、ファクシミリ装置１の電源が一旦落とされた後に再度投入された場合や、操作パネル２２の一部であるリセットボタン（非図示）の操作によって再起動された場合に再度オンされる。
【０１７７】
測定開始フラグ１３ｐは、測定モードフラグ１３ｏがオンである場合、即ち、ファクシミリモードが測定モードにある場合において、基準受信時間の測定が開始されたか否かを示すフラグである。この測定モードフラグ１３ｐは、測定モードにおいて基準受信時間の測定が開始されるとオンされ、測定によって得られた第２所定時間が第２所定時間メモリ１３ｒに記憶され、測定モードが終了するとオフされる。
【０１７８】
図９は、本発明の第２実施例のファクシミリ装置１において実行される第２所定時間測定処理を示すフローチャートである。この第２所定時間測定処理は、呼出音鳴動メイン処理（図３参照）における、Ｓ２の処理の実行後、又は、Ｓ１の処理により初期化済みフラグ１３ｃがオンであることが確認された後であって、Ｓ３の処理前に実行される処理である。
【０１７９】
この第２所定時間測定処理では、まず、測定モードフラグ１３ｏがオンであるかを確認し（Ｓ９０１）、測定モードフラグ１３ｏがオンであれば（Ｓ９０１：Ｙｅｓ）、リング検出回路３９により呼出信号が検出されたかを確認する（Ｓ９０２）。
【０１８０】
Ｓ９０２の処理により確認した結果、リング検出回路３９により呼出信号が検出された場合には（Ｓ９０２：Ｙｅｓ）、測定開始フラグ１３ｐがオンであるかを確認する（Ｓ９０３）。
【０１８１】
Ｓ９０３の処理により確認した結果、測定開始フラグ１３ｐがオフであれば（Ｓ９０３：Ｎｏ）、即ち、未だ基準受信時間の測定が開始されていない場合には、測定開始フラグ１３ｐをオンし（Ｓ９０４）、ＣＰＵ１１に内蔵されるタイマ（非図示）の示す現在時刻を、測定開始時刻メモリ１３ｑに記憶する（Ｓ９０５）。Ｓ９０５の処理により、基準受信時間の測定が開始された時刻が記憶される。Ｓ９０５の処理後、この第２所定時間測定処理を終了する。
【０１８２】
一方で、Ｓ９０３の処理により確認した結果、測定開始フラグ１３ｐがオンであれば（Ｓ９０３：Ｙｅｓ）、測定中であるので、Ｓ９０４，Ｓ９０５の処理をスキップして、この第２所定時間測定処理を終了する。
【０１８３】
また、Ｓ９０２の処理により確認した結果、呼出信号が検出されなければ（Ｓ９０２：Ｎｏ）、測定フラグ１３ｐがオンであるかを確認する（Ｓ９０６）。Ｓ９０６の処理により確認した結果、測定開始フラグ１３ｐがオンであれば（Ｓ９０６：Ｙｅｓ）、ＣＰＵ１１に内蔵されるタイマ（非図示）の示す現在時刻と、Ｓ９０５の処理により測定開始時刻メモリ１３ｑに記憶されている時刻との差が、第４所定時間（例えば、１５００ｍｓ）を超えたかを確認する（Ｓ９０７）。即ち、Ｓ９０７では、基準受信時間の測定が開始されてからの受信期間が、第４所定時間を超えたかの確認を行う。
【０１８４】
Ｓ９０７の処理により確認した結果、基準受信時間の測定が開始されてからの受信期間が第４所定時間以下であれば（Ｓ９０７：Ｎｏ）、これは、交換機２７から間欠的にオンとオフが繰り返されて送信される呼出信号のうちの１の呼出信号の受信完了の検出を意味する。
【０１８５】
よって、この場合には、測定開始時刻メモリ１３ｑに記憶されている時刻から、ＣＰＵ１１に内蔵されるタイマ（非図示）の示す現在時刻を差し引いて得られる間欠的な呼出信号における１のオン期間、即ち、基準受信時間に、所定の固定値（例えば、５００ｍｓ）を猶予時間として加え（Ｓ９０８）、Ｓ９０８の処理により得られた値を第２所定時間メモリ１３ｒに記憶する（Ｓ９０９）。
【０１８６】
なお、この第２実施例のファクシミリ装置１では、上述した第１実施例におけるＳ６０７の処理において、第２所定時間メモリ１３ｒに記憶された値を用いるものとする。なお、第２所定時間メモリ１３ｒに値が記憶されていない場合には、予め規定されている値（例えば、１５００ｍｓ）を用いるものとする。
【０１８７】
従って、ファクシミリ装置１が実際に受信する呼出信号のオン期間に所定の猶予時間を加算した値である第２所定時間を、連続的にオンが継続される呼出信号であるか否かを検出する上での比較基準とする。よって、この第２実施例のファクシミリ装置１では、実際に受信する呼出信号に対する測定によって得られた基準受信時間に基づく第２所定時間を用いるので、国毎に規格の異なる呼出信号に対しても、その呼出信号が、連続的にオンが継続される呼出信号であるか否かを確認するのに最適な値を用いることができる。
【０１８８】
また、この場合、比較基準とされる値が、実際に間欠的に受信される呼出信号のオン期間に所定の猶予期間が加算した値を第２所定時間としているので、連続的にオンが継続される呼出信号を、間欠的にオンとオフが繰り返される呼出信号に対して明確に区別することができる。
【０１８９】
その結果、種々の国において、ナンバーディスプレイ設定がオンに設定されている場合であっても、連続的にオンが継続される呼出信号の受信を確実に検出でき、呼出音を確実に鳴動できるのである。
【０１９０】
Ｓ９０９の処理後、測定モードフラグ１３ｏ及び測定開始フラグ１３ｐをオフし（Ｓ９１０，Ｓ９１１）、この第２所定時間測定処理を終了する。
【０１９１】
一方で、Ｓ９０７の処理により確認した結果、基準受信時間の測定が開始されてからの受信期間が第４所定時間を超えていれば（Ｓ９０７：Ｙｅｓ）、これは、間欠的にオンとオフとが繰り返される呼出信号ではなく、連続的にオンが継続される呼出信号を計測していることになるので、測定不能となり、Ｓ９１１へ移行して、測定開始フラグ１３ｐをオフした後、この第２所定時間測定処理を終了する。
【０１９２】
また、Ｓ９０６の処理により確認した結果、測定開始フラグ１３ｐがオフであれば（Ｓ９０６：Ｎｏ）、Ｓ９０７〜Ｓ９１１の処理をスキップして、この第２所定時間測定処理を終了する。
【０１９３】
また、Ｓ９０１の処理により確認した結果、測定モードフラグ１３ｏがオフであれば（Ｓ９０１：Ｎｏ）、Ｓ９０２〜Ｓ９１１の処理をスキップして、この第２所定時間測定処理を終了する。
【０１９４】
以上説明したように、第１実施例及び第２実施例のファクシミリ装置１では、リング検出回路３９により検出された呼出信号の受信期間が、予め規定された第２所定時間、又は、実際の測定によって取得された基準受信時間に所定の猶予時間を加算して得られた第２所定時間に対して比較され、呼出信号の受信期間が第２所定時間を超えたことが確認された場合に、それをトリガとして呼出音の鳴動が開始される。
【０１９５】
よって、ナンバーディスプレイ設定がオンに設定されている場合であっても、警察や消防などからのコールバックのように連続的にオンが継続される呼出信号の受信を確実に検出できるので、呼出音を確実に鳴動させることができ、その結果として、警察や消防などからのコールバックを初めとする緊急呼出をユーザに確実に認識させることができる。
【０１９６】
なお、請求項１又は３記載の呼出音鳴動手段としては、図７の鳴動開始処理が該当する。また、請求項１又は３記載の受信期間取得手段としては、図６の呼出信号検出処理におけるＳ６０４の処理及びＳ６０７の処理における「現在時刻と開始時刻メモリに記憶されている時刻との差をとること」の部分が該当する。また、請求項１又は３記載の比較手段としては、図６の呼出信号検出処理におけるＳ６０７の処理が該当する。また、請求項１又は３記載の認定手段としては、図６の呼出信号検出処理におけるＳ６０８の処理が該当する。また、請求項１記載の呼出音鳴動開始手段としては、図７の鳴動開始処理におけるＳ７０８の処理が該当する。また、請求項３記載の基準受信期間取得手段としては、図９の第２所定時間測定処理が該当する。
【０１９７】
また、請求項４記載の呼出音変更手段は、図７の鳴動開始処理におけるＳ７０５のＹｅｓの分岐処理が該当する。また請求項５記載の鳴動許可変更手段としては、図７の鳴動開始処理におけるＳ７０９のＹｅｓの分岐処理が該当する。また、請求項６記載の音量変更手段としては、図７の鳴動開始処理におけるＳ７０３の処理が該当する。
【０１９８】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１９９】
例えば、上記実施例では、開始時刻メモリ１３ｎ、測定開始時刻メモリ１３ｑに記憶された時刻と現在時刻との差分を受信期間としたが、これらのメモリ１３ｎ，１３ｑに代えて、専用のタイマを設けて受信期間を計測するように構成してもよい。
【０２００】
また、上記実施例では、計測時間（開始時刻メモリ１３ｎ又は測定開始時刻メモリ１３ｑに記憶された時刻と現在時刻との差分）が第１〜４所定時間を超えたかを確認するように構成したが、計測時刻が第１〜４所定時間と同等であるかを確認するように構成してもよい。例えば、呼出信号検出処理（図６）におけるＳ６０７の処理において、現在時刻と開始時刻メモリ１３ｎに記憶されている時刻との差が同等であることが確認された場合に、Ｓ６０８の処理へ移行し、緊急フラグ１３ｌをオンにするように構成してもよい。
【０２０１】
また、上記実施例では、鳴動不許可フラグ１３ｂがオフである場合、即ち、呼出信号の受信に応じて呼出音が鳴動される設定にされている場合に、緊急フラグ１３ｌがオンされると、ユーザにより設定されている音量とは無関係に最大音量で呼出音が鳴動するように構成されるものであったが、例えば、ユーザによる設定音量が所定の閾値以下に設定されていた場合にのみ、緊急呼出時の呼出音の音量を最大音量にするような構成であってもよい。
【図面の簡単な説明】
【０２０２】
【図１】本発明の第１実施例におけるファクシミリ装置の電気的構成を示すブロック図である。
【図２】半導体化ＤＡＡを備える回線Ｉ／Ｆ部の電気的構成を示すブロック図である。
【図３】本発明の第１実施例のファクシミリ装置において実行される呼出音鳴動メイン処理を示すフローチャートである。
【図４】ＮＤ設定時鳴動制御処理を示すフローチャートである。
【図５】呼出音鳴動処理を示すフローチャートである。
【図６】呼出信号検出処理を示すフローチャートである。
【図７】鳴動開始処理を示すフローチャートである。
【図８】ナンバーディスプレイ設定がオンに設定されたファクシミリ装置における、呼出信号の受信タイミングと呼出音の鳴動タイミングとを模式的に示すタイミングチャートである。
【図９】本発明の第２実施例のファクシミリ装置において実行される第２所定時間測定処理を示すフローチャートである。
【符号の説明】
【０２０３】
１                  ファクシミリ装置（通信端末装置）
１３ａ              ＮＤ設定フラグ（番号情報受信許可設定記憶手段）
１３ｂ              鳴動不許可フラグ（鳴動許可記憶手段）
１５                回線Ｉ／Ｆ部（受信手段）
２８ａ              呼出メロディテーブル（第１呼出音記憶手段）
２８ｂ              呼出メロディ設定メモリ（第２呼出音記憶手段）
２８ｃ              ベル音メモリ（特定呼出音記憶手段）
３９                リング検出回路（呼出信号検出手段）
【図１】
2006191504.tif 000003
【図２】
2006191504.tif 000004
【図３】
2006191504.tif 000005
【図４】
2006191504.tif 000006
【図５】
2006191504.tif 000007
【図６】
2006191504.tif 000008
【図７】
2006191504.tif 000009
【図８】
2006191504.tif 000010
【図９】
2006191504.tif 000011